(57)【要約】【課題】  化粧品アプリケータの性能、特に化粧品アプリケータが担持できる化粧品の量をさらに改善し、しかも信頼できかつ簡単に製造でき、しかも種々の粘性をもつ物質を塗布できる化粧品アプリケータを利用できるにする。【解決手段】  本発明は、少なくとも二つのアプリケータ要素を有し、各アプリケータ要素が、少なくとも一つの波形をもつ少なくとも一つの周期的パターンを備え、少なくとも二つの周期的パターンが異なっている化粧品アプリケータに関する。【選択図】    図２２
2004298633.tif 000002
【特許請求の範囲】
【請求項１】
少なくとも二つのアプリケータ要素を有し、各アプリケータ要素が、少なくとも一つの波形をもつ少なくとも一つの周期的パターンを備え、少なくとも二つの周期的パターンが異なっていることを特徴とする化粧品アプリケータ。
【請求項２】
アプリケータ要素が剛毛であることを特徴とする請求項１記載の化粧品アプリケータ。
【請求項３】
少なくとも二つの剛毛を有し、各剛毛が少なくとも一つの周期的パターンを備え、少なくとも二つの周期的パターンが異なっていることを特徴とする、特にマニキュア又はマスカラ塗布用の、化粧品アプリケータ。
【請求項４】
二つの異なる周期的パターンが二つの別個の剛毛に属していることを特徴とする請求項２又は３記載の化粧品アプリケータ。
【請求項５】
二つの異なる周期的パターンが同一の剛毛に属していることを特徴とする請求項２〜４のいずれか一項記載の化粧品アプリケータ。
【請求項６】
二つの異なる周期的パターンが異なる形状の波形を備えていることを特徴とする請求項２〜５のいずれか一項記載の化粧品アプリケータ。
【請求項７】
周期的パターンの一方がのこぎり波形状であり、他方の周期的パターンが正弦波形状であることを特徴とする請求項１〜６のいずれか一項記載の化粧品アプリケータ。
【請求項８】
二つの異なる周期的パターンが異なる振幅（ａ）の波形を備えていることを特徴とする請求項２〜７のいずれか一項記載の化粧品アプリケータ。
【請求項９】
二つの異なる周期的パターンが異なる空間的繰り返し数の波形を備えていることを特徴とする請求項２〜８のいずれか一項記載の化粧品アプリケータ。
【請求項１０】
同じ周期的パターンをもつ１％〜９９％、好ましくは２０％〜８０％、さらに好ましくは３０％〜６０％の剛毛を有することを特徴とする請求項２〜９のいずれか一項記載の化粧品アプリケータ。
【請求項１１】
直径の異なる少なくとも二つの剛毛を有することを特徴とする請求項２〜１０のいずれか一項記載の化粧品アプリケータ。
【請求項１２】
少なくとも一つの直線状部分をもつ少なくとも一つの剛毛を有することを特徴とする請求項２〜１１のいずれか一項記載の化粧品アプリケータ。
【請求項１３】
剛毛の少なくとも一つがその全長に沿って周期的パターンをもつことを特徴とする請求項２〜１２のいずれか一項記載の化粧品アプリケータ。
【請求項１４】
長さの異なる少なくとも二つの剛毛を有することを特徴とする請求項２〜１３のいずれか一項記載の化粧品アプリケータ。
【請求項１５】
少なくとも一つの捩った剛毛を有することを特徴とする請求項２〜１４のいずれか一項記載の化粧品アプリケータ。
【請求項１６】
断面が円形である少なくとも一つの剛毛を有することを特徴とする請求項２〜１５のいずれか一項記載の化粧品アプリケータ。
【請求項１７】
断面が円形でない少なくとも一つの剛毛を有することを特徴とする請求項２〜１５のいずれか一項記載の化粧品アプリケータ。
【請求項１８】
断面が中空である少なくとも一つの剛毛を有することを特徴とする請求項２〜１７のいずれか一項記載の化粧品アプリケータ。
【請求項１９】
断面が中実である少なくとも一つの剛毛を有することを特徴とする請求項２〜１７のいずれか一項記載の化粧品アプリケータ。
【請求項２０】
剛毛の直径が５／１００ｍｍ〜４０／１００ｍｍの範囲であることを特徴とする請求項２〜１９のいずれか一項記載の化粧品アプリケータ。
【請求項２１】
剛毛が、熱可塑性材料、特に熱可塑性エラストマーから成ることを特徴とする請求項２〜２０のいずれか一項記載の化粧品アプリケータ。
【請求項２２】
少なくとも一つの剛毛が天然繊維から成ることを特徴とする請求項２〜２０のいずれか一項記載の化粧品アプリケータ。
【請求項２３】
種類の異なる複数の剛毛を有することを特徴とする請求項２〜２２のいずれか一項記載の化粧品アプリケータ。
【請求項２４】
ブラシ（４３）、特にマスカラブラシを有することを特徴とする請求項２〜２３のいずれか一項記載の化粧品アプリケータ。
【請求項２５】
ブラシ（４３）が捩ったコアー（５０）を備え、剛毛が捩ったコアー（５０）で支持されていることを特徴とする請求項２４記載の化粧品アプリケータ。
【請求項２６】
ブラシが、接着剤によって、ステープリングすることによって、又はオーバーモールすることによって、或いは支持体をスタンプリングすることによって固定される列を成した剛毛を備えていることを特徴とする請求項２４記載の化粧品アプリケータ。
【請求項２７】
ペイントブラシ、特にマニキュア（Ｖ）を塗布するブラシ（５）を構成していることを特徴とする請求項１〜２２のいずれか一項記載の化粧品アプリケータ。
【請求項２８】
ステム（４）を有し、特に接着剤、ステープル又はオーバーモールドによって剛毛がステムの端部分におけるハウジング（１５）に固定されていることを特徴とする請求項２７記載の化粧品アプリケータ。
【請求項２９】
アプリケータ要素が歯を備えていることを特徴とする請求項１記載の化粧品アプリケータ。
【請求項３０】
爪に物質を塗布するコンディショニング及びアプリケータ装置であって、塗布すべき物質を収容する容器（２）及び請求項１〜２３、２８のいずれか一項記載のアプリケータ（３）を有することを特徴とする装置。
【請求項３１】
まつげや眉毛用の物質を包装し塗布する装置であって、塗布すべき物質を収容する容器（４０）及び請求項１〜２６、２９のいずれか一項記載のアプリケータ（４１）を有することを特徴とする装置。
【請求項３２】
アプリケータ（４１）を拭う部材（４６）を有することを特徴とする請求項３１に記載の装置。
【発明の詳細な説明】
【技術分野】
【０００１】
本発明は、化粧品（用語“化粧品”はケアー製品を含めて用いられる）を塗布するアプリケータに関するものであり、特に本発明は、マニキュアやマスカラ用のアプリケータに関する。
【背景技術】
【０００２】
複数の剛毛を混合したものから成る爪やまつげ用のアプリケータはすでに種々提案されている。
【０００３】
例えば、特許文献１には、直径の異なる複数の剛毛を混合したものから成る、爪にマニキュアを塗布するマニキュアブラシが記載されている。
【０００４】
特許文献２には、ピックアップできるマスカラの量を増やしかつまつげのとかしを改善するように、撓み性剛毛と剛性剛毛とを組み合わせたマスカラブラシが記載されている。
【０００５】
特許文献３には、剛毛の間に比較的大きな空間を形成しかつ多量のマニキュアを保持するために、機械的特性の異なる二組の剛毛を有する、爪にマニキュアを塗布するブラシが記載されている。
【０００６】
さらに、特許文献４には、剛毛の全長にわたって横断面の直径が大きなもの小さなものとを交互に配列した剛毛から成るマスカラブラシが記載されている。
【０００７】
化粧品アプリケータの性能、特に化粧品アプリケータが担持できる化粧品の量をさらに改善し、しかも信頼できかつ簡単に製造できるアプリケータを提供する要求がある。
【０００８】
また、種々の粘性をもつ物質を塗布できる化粧品アプリケータを利用できるにする要求がある。
【発明の開示】
【発明が解決しようとする課題】
【０００９】
本発明は特に、これらの要求の全て又は幾つかを満足させることにある。
【課題を解決するための手段】
【００１０】
本発明の特徴の一つにおいて、本発明は、少なくとも二つのアプリケータ要素、特に二つの剛毛又は二つの歯を有し、これらの各々が、少なくとも一つの波形をもつ少なくとも一つの周期的パターンを備え、少なくとも二つの周期的パターンが異なっている、特にマニキュアやマスカラを塗布する化粧品アプリケータを提供する。
【００１１】
本発明の別の特徴において、本発明は、少なくとも二つの剛毛を有し、各剛毛が少なくとも一つの周期的パターンを備え、少なくとも二つの周期的パターンが異なっている、化粧品特にマニキュア又はマスカラを塗布するアプリケータを提供する。
【００１２】
本発明の別の特徴において、本発明は、少なくとも二つの剛毛を有し、各剛毛が少なくとも一つの波形部分を備え、二つの剛毛の波形部分が少なくとも形状及び（又は）繰り返し数及び（又は）振幅において互いに異なり、波形部分の少なくとも一つが周期的に繰り返すパターンを備えている、化粧品特にマニキュア又はマスカラを塗布するアプリケータを提供する。
【００１３】
用語“周期的パターン”は、剛毛であり得るアプリケータ要素の一部分を表し、上記部分はアプリケータ要素に沿って周期的に実質的に再生される。
【００１４】
少なくとも一つの波形をもつ周期的パターンは、三つの構成要素、すなわち形状例えば正弦波形状又はのこぎり波形状と、振幅すなわちアプリケータ要素の通常の長手方向に対して直交する方向に測った寸法と、空間的繰り返し数すなわちアプリケータ要素の単位長さ当たりのパターンの数とで決められ得る。同一パターンは、アプリケータ要素の全長にわたって数回繰り返され得る。アプリケータ要素は単一パターンを備えるか又は単一パターンより少なくできる。
【００１５】
パターンの長さは、実質的にアプリケータ要素の長さに対応し得る。その場合に、パターンの形状は、例えば正弦波関数又はのこぎり波発生装置のような周期関数により決められ得る。
【００１６】
例として、周期的パターンをもつ剛毛は、パターンが数回繰り返して現れる比較的長さの長い繊維を切断することによって作られ得る。このような繊維の製造は、パターンが周期的に繰り返すことによって比較的容易である。
【００１７】
特に、アプリケータ要素が剛毛である場合には、周期的パターンはまた、例えば剛毛の材料中における又は剛毛の表面における一つ以上の充填材の存在と関連され得る粗い部分の少なくとも一部分を備え得る。又はそれは一つ以上のノッチを含んでいてもよい。周期的パターンは、上記ノッチの繰り返し数及び形状によって又は所与パターン内の充填材の単位面積当たりの分布及び繰り返し数によって決められ得る。
【００１８】
周期的パターンはまた、剛毛に沿って移動するにつれて剛毛の断面を周期的に変化させることによって形成され得る。
【００１９】
剛毛の周期的パターンは、少なくとも一つの波形及び（又は）少なくとも一つの充填材及び（又は）剛毛の横断面及び（又は）ノッチ及び（又は）レリーフの他の部分少なくとも一つの変動を表し得る。
【００２０】
本発明の利点は、剛毛の間に空間を形成させ、使用した全ての剛毛が全体として直線状である又は全て同じパターンをもつ形態と比較して、毛管現象による物質の保持が容易となり得ることにある。これによりアプリケータの保持できる物質の量が改善され、従って、使用者は物質を特に爪に十分な厚さの単一層で塗布することができるようになる。
【００２１】
本発明の別の利点は、適当な場合には、アプリケータをワイパーに通しながら、直線状である又は同一パターンをもつ剛毛を有するアプリケータの場合より、剛毛の間に一層多くの物質を保持させることができる。
【００２２】
周期的パターンによって、及び特に波形部分によって、アプリケータ要素は、純粋に直線状であるアプリケータ要素より撓み性が大きくなり得る。
【００２３】
種々の周期的パターンをもつ剛毛では、剛毛の自由端の分布は一層一様にできる。
【００２４】
二つの異なる周期的パターンは二つの別個の剛毛に属し得る。変形例では、二つの異なる周期的パターンは同一の剛毛に属し得る。
【００２５】
異なる周期的パターンは異なる形状の波形を備え得る。例えば、周期的パターンの一つはのこぎり波形状であり得、他の周期的パターンは正弦波形状であり得る。
【００２６】
異なる周期的パターンは異なる振幅の波形を備え得る。パターンは同じ形状でもよく、すなわち、両パターンはのこぎり波形状であってもよく、又は正弦波形状であってもよく、或いは異なる形状をもってもよい。パターンは同じ空間的繰り返し数を備えても備えなくてもよい。
【００２７】
パターンの振幅は、例えば２０μｍ〜３ｍｍの範囲内にあり得る。
【００２８】
異なる周期的パターンはまた異なる空間的繰り返し数の波形を備え得る。このようなパターンは適当には、形状及び振幅が同じであり得る。
【００２９】
パターンの空間的繰り返し数は例えば剛毛の単位ｍｍ当りパターンの１／２４〜１／４の範囲内であり得る。
【００３０】
波形をもつ二つの異なる周期的パターンは、同時に、異なる形状、異なる振幅、及び異なる空間的繰り返し数をもち得、或いはそれらの周期的パターンは、単に三つの構成要素の二つにおいて異なり得る。
【００３１】
アプリケータは、異なる周期的パターンをもつ二組以上の剛毛を備え得る。
【００３２】
同じパターンをもつ剛毛の部分は大きく変化し得る。例えば、アプリケータは、第１のパターンをもつ５０％剛毛と、第１のパターンと異なる第２のパターンをもつ５０％剛毛とから成り得る。この分布は変更され得、アプリケータは、第１のパターンをもつ１％〜９９％、好ましくは２０％〜８０％、さらに好ましくは３０％〜６０％の剛毛から成り得、これらの値は限定するものではない。
【００３３】
アプリケータは、少なくとも一つの直線状部分をもつ少なくとも一つの剛毛又は実際に全体が直線状である剛毛を有し得る。
【００３４】
アプリケータは、少なくとも一つの直線状部分及び少なくとも一つの波形をもつ少なくとも一つの周期的パターンを備えた少なくとも一つの剛毛を有し得る。
【００３５】
複数の剛毛の少なくとも一つはその全長に沿って周期的パターンを備え得る。
【００３６】
アプリケータは、長さの異なる少なくとも二つの剛毛を有し得る。
【００３７】
少なくとも一つの剛毛は、その全長の少なくとも一部にわたって捩られ得る。
【００３８】
例として、アプリケータは、直径が５／１００ｍｍ〜４０／１００ｍｍの範囲にある剛毛を有し得る。
【００３９】
アプリケータは、直径の異なる少なくとも二つの剛毛を有し得る。
【００４０】
剛毛の断面が円形でない場合には、用語“剛毛の直径”は、剛毛の最大横断面を囲む円の直径を意味するように用いられる。
【００４１】
剛毛は、合成材料から成り得、例えば熱可塑性材料、特に熱可塑性エラストマーから成り得る。
【００４２】
少なくとも一つの剛毛は天然繊維から成り得る。
【００４３】
剛毛は異なる種類のものであり得、例えばガラス質遷移温度の異なる材料から成り得る。
【００４４】
剛毛は中実又は中空、円形又はその他の横断面をもち得、横断面は剛毛の長さ方向に沿って一定あり又はそうでなく、例えば直径の大きな部分と小さな部分とが交互に配列され得る。剛毛は、随意にフロック加工のコーティングを備えてもよい。
【００４５】
上述のように、剛毛はまた、それらの全長又はその一部だけにわたって充填材、例えば磁気コンパウンド、湿気吸収コンパウンド、剛毛の表面を粗くするコンパウンド又は実際には摺りを改善するコンパウンドを含み得る。かかる充填材は周期的パターンを形成するようにして分配され得る。
【００４６】
アプリケータは、ブラシ、特にマスカラブラシを有し得る。波形の剛毛は、ブラシに沿った剛毛の自由端を直線状の剛毛の場合より一層一様に分布できるようにし得る。
【００４７】
さらに、波形の剛毛は、互いに交叉させて、取り込むことのできる物質の量を増やしかつ適当な場合にはまつげや眉毛の梳かしを改善できる。
【００４８】
ブラシは捩ったコアーを備え得、剛毛は捩ったコアーで支持され得、そしてコアーと一緒に射出成形されて構成され得る。変形例では、ブラシは、接着剤によって、ステープリングすることによって、又はオーバーモールすることによって固定される列を成した剛毛を備え得る。ブラシは、物質のケーキから物質を取り込むように配列され得る。剛毛は支持体の一側のみからのびるようにしてもよい。
【００４９】
ブラシの包絡面は、種々の形状を成し得、特に横断面は、一つ以上のノッチ又は切れ込みを備えた実質的に円形、楕円形、多角形又はその他の形状であり得る。
【００５０】
コアーは包絡面の横断面に対して中心決めされ得る。
【００５１】
包絡面の横断面は一定であり得るか又はブラシの全長の少なくとも一部分にわたって一定であり得、また例としてブラシは、それの二つの軸方向端部間で極端名値となる横断面を備え得、この極端な値は例えば最大値又は最小値である。
【００５２】
コアーは直線状であってもなくてもよく、特にコアーは、その全長にわたって分布した又はブラシをアプリケータのステムに固定する領域に近い領域にのみ集中される曲率で湾曲され得る。適当な場合には、ブラシは、共面ではない少なくとも二つの軸線のまわりで湾曲され得る。
【００５３】
捩ったコアーの場合、ブラシは、例えば単位巻回当り５〜６０本の剛毛を備え得る。単位巻回当りの剛毛の数は、コアーのまわりで１８０°ブラシを回転させて静止観察者が計数できる剛毛端部の数に対応している。
【００５４】
剛毛の長さは１ｍｍ〜７ｍｍの範囲であり得、特に、２ｍｍ〜５ｍｍの範囲であり得る。
【００５５】
アプリケータは、ペイントブラシ、特に爪にマニキュアを塗布するブラシの形態で有り得る。
【００５６】
ある状況のもとでは、アプリケータは、ステム及びステムの端部分においてハウジングに固定された剛毛の束を有し得、特に接着剤、ステープル又はオーバーモールドによって剛毛を固定できる。ハウジングの横断面は、長い長さの横断方向軸線に沿って長方形であり得る。
【００５７】
ハウジングの横断面は、その内側端に向ってテーパー状であり得、このテーパー形状は剛毛にふさわしいフレアー形状に相応している。ハウジングの端壁は後退部を備え得、この後退部に剛毛は開口に向かってフレアー状であるハウジングの部分に開放して固定され、てフレアー状であるハウジングの部分により、剛毛は、束の拡がった形状を得るために、互いに離れる方向へ広がることができる。
【００５８】
特に、ハウジングは、剛毛がハウジングと水平な上記横断方向軸線に沿ってステムの寸法より大きい上記横断方向軸線に平行に測った距離だけハウジングの外側へのびるように配列される。
【００５９】
ステムにおけるハウジングの外側へのびた剛毛の部分の長さは、例えば５ｍｍ〜２０ｍｍの範囲内であり得る。
【００６０】
剛毛の自由端は、例えば２ｍｍ〜１５ｍｍの範囲及び特に４ｍｍ〜１０ｍｍの範囲の曲率半径をもつ円弧を実質的に描き得る。
【００６１】
ハウジング内への開口の幅は、上記の横断方向軸線に垂直に測って２ｍｍであるか又はそれ以下であり得る。
【００６２】
本発明の別の特徴において、本発明は、塗布すべき物質を収容する容器及び上述のアプリケータを有し、爪に塗布する物質特にマニキュア用の包装及び塗布装置を提供する。
【００６３】
アプリケータを適位置に置いた時に容器内に収容した物質に浸されたステムの部分の大きな横断方向寸法は、５ｍｍか又はそれ以下であり得る。
【００６４】
ステムは、容器の閉じキャップに固定するように構成され得、変形例では、ステムは、容器の閉じキャップを含めてプラスチックス材料の単一成形体として一体に構成され得る。
【００６５】
本発明の別の特徴において、本発明は、塗布すべき物質を収容する容器及び上述のアプリケータを有し、まつげや眉毛に塗布する物質、特にマスカラ用のコンディショニング及び塗布装置を提供する。適当には、装置はさらにアプリケータを拭う部材を有し得る。
【００６６】
本発明は、添付図面を参照して、本発明を限定しない実施の形態についての以下の詳細な説明から一層良く理解される。
【発明を実施するための最良の形態】
【００６７】
図１には、爪への物質、例えばマニキュアＶを包装し、塗布する装置１が示されており、この装置１はマニキュアＶを収容する容器２及びブラシを構成するアプリケータ３を有し、アプリケータ３は、長手方向軸線Ｘの直線状ステム４を備え、このステム４の一端部には、剛毛の束５が取付けられ、他端部には、容器２の閉じキャップを構成するハンドル部材１０が設けられている。
【００６８】
図示したように、容器２は、塗布前に装置１を振り動かすことによりマニキュアＶを一様にさせることのできるボール６例えば金属ボールを収容し得る。
【００６９】
例えば、プラスチック材料から成るステム４は頂部に、スカート８を備え、ハンドル部材１０のハウジングに固定できるようにし、ハンドル部材は容器２の首部１１にねじ嵌合するように構成されている。スカート８の基部には鍔１２が形成され、アプリケータを容器２の適当な位置に入れた際に、首部１１の頂端縁部に対して支持するようにしている。
【００７０】
説明した例では、鍔１２の下側において、ステム４は、アプリケータ３を適当な位置に入れた際に、閉じた容器２を密封するように機能できる円錐形部分１３を備えている。密封はまた、ハンドル部材１０の表面と容器の首部１１の表面との共動によって得られ得る。
【００７１】
ステム４の底端部分１４には、ハウジング１５（図１には示してといないが図２８に示されている）が設けられ、このハウジング１５内にブラシの剛毛が固着されている。
【００７２】
本発明の一つの特徴によれば、剛毛の束５は異なるパターンの少なくとも二つの波形部分を備えている。
【００７３】
図２には、剛毛の波形部分２０を示し、波形部分２０は多数の同一の周期的パターン、一層正確には、図示例では各々正弦波形状である三つの同一の周期的パターンを備えている。図２における各パターンは二本の垂直点線間に画定されている。一つの波形はレリーフの少なくとも一つの凹状部分とレリーフの一つの凸状部分との連続体に相当している。
【００７４】
波形を備えたパターンの構成要素は、それの形状、振幅ａ及び空間的繰り返し数即ち剛毛の単位長さ当たりのパターンの数である。
【００７５】
パターンは、正弦波形状以外の形状でもよく、例えば、図３に示すようにのこぎり波形状でもよい。特にのこぎり波形状のパターンの場合、振幅ａは例えば２０μｍ〜３ｍｍの範囲内にある。空間的な繰り返し数は例えば単位ｍｍ当たりパターンの１／２４〜１／４の範囲内であり、パターンの長さは例えば１ｍｍ〜２４ｍｍ、実際には４ｍｍ〜２４ｍｍの範囲内である。
【００７６】
図４には、形状が同じで振幅及び空間的繰り返し数が異なるパターンをもつ二つの波形部分２０を示す。波形部分間には空間２１が形成され、これらの空間２１は、使用者が容器２からアプリケータ３を引き抜く際に毛管現象により物質を保持するように作用する。
【００７７】
パターンの異なる波形部分２０により、束５は比較的多くの空間をもつことができ、物質を容易に捕捉することができる。
【００７８】
図５におけるのこぎり波形状の波形部分２０は、振幅が同じで空間的な繰り返し数の異なるものであり、それにより同様に剛毛の間に空間２１を得ることができる。
【００７９】
図６には、二つの波形部分２０を示し、一方の波形部分２０はのこぎり波形状のパターンをもち、他方の波形部分２０は正弦波形状のパターンをもっている。
【００８０】
束５における全ての剛毛は波形であり、又は変形では図７に示すように、束は直線状の剛毛２３を含み得る。
【００８１】
波形部分は、直径の小さな成形型に繊維を押出し、そして繊維を例えば歯車形状の形出しローラと接触させることにより形成され得る。
【００８２】
所与束の剛毛は、図８に示すように直径が異なり得る。
【００８３】
図９には、小さな直径の、例えば５／１００ｍｍの剛毛と、大きな直径の、例えば４０／１００ｍｍの剛毛とを備えた束５を横断面図で示す。
【００８４】
剛毛は、剛毛の全長にわたって又は全長の一部にわたってのびる波形部分２０を備え得るか、又はパターンの異なる多数の波形部分を備え得る。例として、図１０には単一剛毛の二つの波形部分２０ａ、２０ｂを示し、これらの波形部分のそれぞれのパターンは同じ形状即ち正弦波形状をもつが振幅及び空間的な繰り返し数の異なる。単一剛毛の二つの波形部分のパターンは、二つの別個の剛毛に属する二つの波形部分のパターンのように、パターンの一つ、二つ又は三つ全ての構成要素において異なり得る。
【００８５】
図１１には、直線状部分及び波形部分の両方をもつ単一剛毛を示す。
【００８６】
剛毛は、両方とも波形であり、同時に捩られ得る。図１２には、図１３に見られ得るように、毛管溝２２を含む非円形断面の剛毛を示す。剛毛は、毛管溝２２が剛毛に沿って螺旋状となるように捩られる。
【００８７】
周期的パターンは、上記のような波形をもち得るが、しかし周期的に繰り返す剛毛の部分で構成されてもよい。例として、パターンはノッチ１００を含む剛毛の部分に対応し得、剛毛は図１４に示すように一定の間隔でノッチを備えている。
【００８８】
周期的パターンはまた、図１５に示すように、直径の小さな断面１０１と直径の大きな断面１０２の連続した剛毛の部分で構成され得る。
【００８９】
図１６において、周期的部分は、充填材の粒子１０３のある一定の分布によって構成され、充填材の粒子１０３の分布は剛毛に沿って実質的に一定の間隔で繰り返される。
【００９０】
当然、剛毛は、図１７に示すように、波形でありしかも一定の間隔で充填材の粒子１０３を備えた部分を有し得る。
【００９１】
図１８に示すように、パターンの異なる二つの剛毛は、一定間隔にノッチ１００を備える直線状剛毛及び波形部分２０をもつ剛毛とを有し得る。
【００９２】
図１９には、単一アプリケータにおける混成の可能性を示し、剛毛はそれぞれ波形部分を備え、それらの一方には周期的に充填材が分布されている。
【００９３】
図２０には、ノッチ１００を備える又は備えない波形部分を備える混成剛毛の可能生を示す。
【００９４】
図２１には、剛毛にノッチが異なって配置された波形部分を備える混成剛毛の可能生を示す。
【００９５】
束５における剛毛の長さは、図２２に示すように、剛毛の自由端が実質的にステム４の長手方向軸線Ｘに垂直な共面に含まれるようにして選択され得る。変形例では、束５における剛毛の自由端は、平面状でない、例えば図２３に示すようにステム４から離れる方向に凸状の表面Ｃ上に位置され得る。別の変形例では、図２４に示すように、束５における剛毛の自由端は、ステム４の軸線Ｘに対して斜めに延びる表面上に沿って実質的に位置され得る。
【００９６】
剛毛の束５は横断面形状が異なってもよい。図２５においては、ブラシは平坦状であり、束５の断面は実質的に長方形である。図２６では、ブラシは丸型であり、束５の横断面は円形であり、図２７では、束５の横断面は、爪の形状によく適合するように湾曲形状である。
【００９７】
図２８に示すように、束５を受けるハウジング１５は一定の横断面をもち得、従って例えば、比較的密な剛毛を備えたブラシを得ることができるようになる。ハウジング１５を外側に向って発散した形状にすることによって、剛毛は、図２９に示すように剛毛の拡がった束を形成するように互いに比較的大きく拡がり得る。
【００９８】
ハウジング１５の外側へのびる剛毛の部分の長さｌは例えば５ｍｍ〜２０ｍｍの範囲内であり得る。
【００９９】
束５の剛毛は、ステープル止め、接着、溶着又はオーバーモールディングによってハウジング１５に固着され得る。
【０１００】
図３０及び図３１には、ステープル３０を用いてステープル止めすることで束５をハウジング１５に固定するのを示している。ステープル３０は、剛毛の束５のほぼ中間に位置した領域のまわりに係止され、そしてハウジング１５内に押し込まれ、それにより剛毛を半分に折畳んでハウジング１５の縁部に押し止めされる。ステープル３０はアプリケータ３のステム４の内側に強制嵌めして係止される。
【０１０１】
ステム４のハウジング１５内に束５を挿置する別の方法は図３２に示すように接着剤を用いて、ステム４内に束を力で押し込むこと又は束をステム４内にステープル止めすることにある。マニキュアＶは、ブラシを容器２内のマニキュアＶに浸した際に剛毛に付着した接着剤の膜を分解するのに適した溶剤を含んでいる。
【０１０２】
束５に接着剤を塗布する前に、束５は、束をステム４に固定するのに用いられるステープルのまわりで二つに折畳まれ得る。
【０１０３】
本発明による物質の別の包装及び塗布装置は図３３に示されている。
【０１０４】
この装置は、まつげや眉毛に塗布する物質Ｐ、例えばマスカラを収容した容器４０及びアプリケータ４１を有し、アプリケータ４１は、長手方向軸線Ｘのステム４２を備え、このステム４２の一端部４２ａにはブラシ４３が設けられ、反対端部には、容器４０を閉じる作用もするハンドル部材４４が設けられている。容器４０の首部４５の外側にはねじが形成され、ハンドル部材４４をねじ嵌合できるようにしている。
【０１０５】
首部４５の内側には、ステム４２及びブラシ４３が容器から離れていく際にそれらを拭うワイパー部材４６が取付けられている。図示例ではワイパー部材４６は、ステム４２の直径に実質的に一致した直径の円形オリフィスを画定する撓み舌状体４７を備えている。
【０１０６】
当然、本発明は特定のワイパー部材を用いることに限定されるものではなく、他のワイパー部材、例えば発泡体ブロックから成る及び（又は）一つ以上の随意にフロック加工されたスロットを画定するワイパー部材を用いることもできる。
【０１０７】
図示例では、ステム４は直線状であるが、しかしステムは本発明の範囲内で湾曲していてもよい。
【０１０８】
さらに、ステム４２は、ハンドル部材４４に対して固定されるように示されているが、しかしステム４２は、例えば、特にボール及びソケット継手を介して間接接続によってハンドル部材４４に対して可動にできる。
【０１０９】
ブラシ４３は、二本の互いに捩った金属ストランドから成るコアー５０を有し、コアー５０の一端は、ステム４２におけるハウジングに固定され、例えばハウジングに強制嵌めにより挿置される。
【０１１０】
ブラシ４３はまた、図３５に見られるように、コアー５０の互いに捩った金属ストランド間にクランプされて保持される剛毛を有する。図３５において、コアー５０は側部から見れるように示されており、ブラシの基端部は左側にあり、ブラシの先端は右側にあり、ブラシは“左へ捩られている”と言える。コアーが左に捩られる場合には、コアーのブランチは、ステムに固定した端部すなわち基端部が底部及び自由端部に位置し、すなわち先端部が頂部に位置する垂直状態でブラシを観察する時、左から右へ上昇するように見える巻回を形成している。左に捩られるコアーの利点は、米国特許第６，２２７，７３５号に記載されている。本発明はまた右に捩られるコアーをもつブラシ、及び実際に欧州特許出願ＥＰ−Ａ−１  １５５  ６３７号に記載されたようにコアーにスタンプ止めすることによって剛毛を固定した捩られていないコアーをもつブラシ又は実際にステープル又は剛毛にコアーをオーバーモールドすることでコアーに剛毛を固定したブラシにも適用できる。
【０１１１】
ブラシ４３の剛毛は、図２〜図１２を参照して説明してきたものと同様であり得る波形部分２０を備えている。ブラシ４３の剛毛は、図１４〜図２１を参照して説明してきたような周期的パターンを備えることができる。
【０１１２】
ブラシは、剛毛の自由端で画定された包絡面を備え得、この包絡面は、図３４に示すように横断面が円形であるか又は横断面が円形でない。
【０１１３】
例として、図３７には、横断面が多角形例えば三角形の包絡面を示す。
【０１１４】
図３８〜図４７には、ブラシの包絡面の特に可能性のうちの他の可能な横断面形状を示している。
【０１１５】
図３８では横断面形状は方形であり、図３９では横断面形状は五角形であり、また図４０では横断面形状は六角形である。図４１では横断面形状は実質的に楕円形である。
【０１１６】
図４２及び図４３には、少なくとも一つのノッチ５５をもつブラシを用いることができることを示しており、ノッチ５５は図示したように外側に凹状であり、マッチの横断面はブラシに沿って一定にのびている。ノッチ５５は図４２に示すように横断面が円形又は非円形例えば図４３に示すように三角形であるブラシに形成され得る。横断面が三角形である場合には、ノッチは図示したように三角形の辺全体を構成し、その場合、ブラシは凹状面を備えている。
【０１１７】
図４４には、ブラシに少なくとも一つのほぼ平面状の面を形成できることを示している。
【０１１８】
図４５には、少なくとも一つの切れ込み５７及び特に三つの切れ込みをもつブラシを構成できることを示している。図４６には、二つの切れ込み５７をもつブラシの変形実施の形態を示し、また図４７にはただ一つの切れ込み５７を備えた変形実施の形態を示している。
【０１１９】
ブラシは、一定の又は一定でない横断面をもつことができ、そしてそのコアーは直線状であってもなくてもよい。
【０１２０】
コアー５０は、ブラシを横断面で見た場合に、包絡面の輪郭に対して中心決めされても偏心されてもよい。例として、図４８には、コアーが偏心しているブラシを示している。
【０１２１】
ブラシの剛毛は、機械的叩解処理され得、或いはブラシは、ブラシを回転させながら加熱要素を備えた処理部材に接触させられ得、それにより図３６に示すように、ブラシの剛毛を永久変形させる。
【０１２２】
回転はいずれかの方向に行われ得、そして特に、適当な場合には、コアーの捩られる方向と反対の方向に回転され得る。
【０１２３】
コアーは、他の仕方で構成され得、例えば、コアーは図４９に示すように互いのまわりに捩られる二つの個々のコアー５０’、５０’’から成るデュアルコアーでもよい。図面において各個々のコアー５０’、５０’’はそれ自体、互いにより合わされかつ剛毛にクラン部する二本のストランドを備えている。
【０１２４】
コアーは、随意には断面円形の金属ストランドを用いて構成され得、これらのストランドには随意に外装が施され得る。
【０１２５】
使用した剛毛は、円形以外の種々の横断面をもち得る。
【０１２６】
特に、図５０〜図６６に概略的に示す形状、例えば図５０に示すような平坦部をもつ円形形状、図５１に示すような平坦な形状、図５２に示すような十字形の星型形状、又は図５３に示すような三つのブランチをもつ形状、図５４に示すようなＵ字形状、図５５に示すようなＨ字形状、図５６に示すようなＴ字形状、図５７に示すようなＶ字形状、図５８に示すような中空円形状、或いは多角形状例えば図５９に示すような方形形状、枝分かれした形状例えば図６０に示すような雪の結晶の形状、多角形状例えば図６１に示すような三角形状、図６２に示す５ような方形形状又は図６３に示すような六角形状、長方形状、特に図６４に示すようなレンズ形状、又は図６５に示すような砂時計形状の一つをもつ横断面を備えた剛毛を使用することができる。
【０１２７】
また、図６６に示すように、互いにヒンジ状に結合された部分を備えた剛毛を用いることもできる。
【０１２８】
適当には、剛毛は、図６に示すようなそれぞれの端ボール６１、図６８に示すような端フォーク６２、又は実際に図６９に示すような先細チップを形成するために処理され得る。
【０１２９】
また、図７０に示すようなフロック加工処理した剛毛、又は実際には図７１に示すように剛毛の表面にマイクロレリーフを形成するように或いは磁気又はその他の特性を与えるように充填材の粒子６３を含んでプラスチックス材料を押出し成形することによって構成した剛毛を用いることも可能である。
【０１３０】
剛毛はまた、滑りを促進させる特性をもつ材料で構成することもできる。
【０１３１】
剛毛は、例えば、ポリエチレン、ポリアミド及び特にＰＡ６、ＰＡ６／６、ＰＡ６／１０、又はＰＡ６／１２、ＰＡ１１、及び特にＲｉｌｓａｎ（登録商標）、Ｈｙｔｒｅｌ−Ｐｅｂａｘ、及び他の熱可塑性重合体から選択した合成材料で構成され得る。
【０１３２】
当然、本発明は上記で説明してきた例に限定されない。特に上記の種々の例の構成の細部は互いに結合され得る。
【０１３３】
アプリケータはパターン及び（又は）直径及び（又は）長さの異なる三組以上の波形部分をもち得る。
【０１３４】
波形部分のパターンは、正弦波ではなくしかものこぎり波以外の波形部分を備え得、そして一般的には任意の周期的関数で描かれる形状をもち得る。従って、波形部分のパターンは一般的には例えば方形波形状をもち得る。
【０１３５】
アプリケータは、波形剛毛ではないが図７２に示すように波形歯であるアプリケータ要素を有することができ、二つの波形歯１１０は異なる周期的パターンを備えている。これらの波形歯１１０は支持体１１１と共にプラスチックス材料で成形することにより形成され得る。支持体の材料及び波形歯の材料は同じであってもなくてもよい。
【０１３６】
特許請求の範囲を含む明細書の記載において、用語“有する、備える、又はから成る”は、特に注釈しない限り“少なくとも一つ有する、少なくとも一つ備える、又は少なくとも一つから成る”と同義であると理解されるべきである。
【図面の簡単な説明】
【０１３７】
【図１】爪に物質を塗布する装置の概略軸方向断面図。
【図２】剛毛の波形部分の一例を示す概略図。
【図３】図２のパターン形状と異なる形状の波形部分を示す概略図。
【図４】同じ形状ではあるが振幅及び空間的繰り返し数の異なるパターンの二つの波形部分を示す概略図。
【図５】同じ形状ではあるが空間的繰り返し数の異なるパターンの二つの波形部分を示す概略図。
【図６】形状の異なるパターンの二つの波形部分を示す概略図。
【図７】一つが直線状であり、残りの二つが波形部分を備えている三つの剛毛を示す概略図。
【図８】直径の異なる剛毛で形成した二つの波形部分を示す概略図。
【図９】直径の異なる剛毛で形成したブラシの端部を示す概略図。
【図１０】周期性及び振幅の異なる二つの波形部分を備えた剛毛を示す概略図。
【図１１】直線状部分及び波形部分をもつ剛毛を示す概略図。
【図１２】波形で捩った部分を示す概略図。
【図１３】図１２の矢印ＸＩＩＩ−ＸＩＩＩに沿った断面図。
【図１４】ノッチ周期的パターンをもつ剛毛の部分を示す概略図。
【図１５】周期的パターンの別の例を備えた剛毛部分を示す概略図。
【図１６】周期的パターンの別の例を備えた剛毛部分を示す概略図。
【図１７】周期的パターンのさらに別の例を備えた剛毛部分を示す概略図。
【図１８】周期的パターンの異なる対の剛毛の他の例を示す概略図。
【図１９】周期的パターンの異なる対の剛毛の他の例を示す概略図。
【図２０】周期的パターンの異なる対の剛毛の他の例を示す概略図。
【図２１】周期的パターンの異なる対の剛毛の他の例を示す概略図。
【図２２】本発明に従って構成したブラシの端部分の概略立面図。
【図２３】図２２のブラシの変形例を示す概略立面図。
【図２４】図２２のブラシの変形例を示す概略立面図。
【図２５】本発明のアプリケータ用の剛毛の束の横断面を例を示す断面図。
【図２６】本発明のアプリケータ用の剛毛の束の横断面を例を示す断面図。
【図２７】本発明のアプリケータ用の剛毛の束の横断面を例を示す断面図。
【図２８】ブラシの剛毛を固定できるハウジングの例を示す図。
【図２９】ブラシの剛毛を固定できるハウジングの別の例を示す図。
【図３０】ステープルによってアプリケータのステムに剛毛を固定する仕方を示す斜視図。
【図３１】ステープルによってアプリケータのステムに剛毛を固定する仕方を示す斜視図。
【図３２】アプリケータのステムに剛毛を固定する別の方法を示す図。
【図３３】まつげや眉毛に塗布する物質の塗布及び包装装置を示す概略軸方向断面図。
【図３４】ブラシの先端を非常に概略的に示す、図３３の矢印ＸＸＸＩＶ−ＸＸＸＩＶに沿った見たブラシの端面図。
【図３５】図３３のコアーの捩った部分間の剛毛を示す概略部分斜視図。
【図３６】図３３の横断面の変形例を示す図。
【図３７】ブラシの包絡面の可能な形状を示す概略横断面図。
【図３８】ブラシの包絡面の可能な形状を示す概略横断面図。
【図３９】ブラシの包絡面の可能な形状を示す概略横断面図。
【図４０】ブラシの包絡面の可能な形状を示す概略横断面図。
【図４１】ブラシの包絡面の可能な形状を示す概略横断面図。
【図４２】ブラシの包絡面の可能な形状を示す概略横断面図。
【図４３】ブラシの包絡面の可能な形状を示す概略横断面図。
【図４４】ブラシの包絡面の可能な形状を示す概略横断面図。
【図４５】ブラシの包絡面の可能な形状を示す概略横断面図。
【図４６】ブラシの包絡面の可能な形状を示す概略横断面図。
【図４７】ブラシの包絡面の可能な形状を示す概略横断面図。
【図４８】ブラシのコアーを中心からずらすことのできる仕方を示す図。
【図４９】剛毛を省略したデュアルコアーを示す線図。
【図５０】剛毛の横断面の一例を示す断面図。
【図５１】剛毛の横断面の別の例を示す断面図。
【図５２】剛毛の横断面の別の例を示す断面図。
【図５３】剛毛の横断面の別の例を示す断面図。
【図５４】剛毛の横断面の別の例を示す断面図。
【図５５】剛毛の横断面の別の例を示す断面図。
【図５６】剛毛の横断面の別の例を示す断面図。
【図５７】剛毛の横断面の別の例を示す断面図。
【図５８】剛毛の横断面の別の例を示す断面図。
【図５９】剛毛の横断面の別の例を示す断面図。
【図６０】剛毛の横断面の別の例を示す断面図。
【図６１】剛毛の横断面の別の例を示す断面図。
【図６２】剛毛の横断面の別の例を示す断面図。
【図６３】剛毛の横断面の別の例を示す断面図。
【図６４】剛毛の横断面の別の例を示す断面図。
【図６５】剛毛の横断面の別の例を示す断面図。
【図６６】剛毛の横断面の別の例を示す断面図。
【図６７】剛毛の端部分の一例を示す図。
【図６８】剛毛の端部分の別の例を示す図。
【図６９】剛毛の端部分の別の例を示す図。
【図７０】剛毛の端部分の別の例を示す図。
【図７１】剛毛の端部分の別の例を示す図。
【図７２】周期的パターンの異なる波形歯をもつアプリケータの概略部分断面図。
【符号の説明】
【０１３８】
１：包装及び塗布装置
２：容器
３：アプリケータ
４：直線状ステム
５：剛毛の束
６：ボール
８：スカート
１０：ハンドル部材
１１：容器２の首部
１２：鍔
１３：円錐形部分
１４：ステム４の底端部分
１５：ハウジング
２０：剛毛の波形部分
２０ａ：剛毛の波形部分
２０ｂ：剛毛の波形部分
２１：空間
２２：毛管溝
２３：直線状の剛毛
３０：ステープル
４０：容器
４１：アプリケータ
４２：ステム
４２ａ：ステム４２の一端部
４３：ブラシ
４４：ハンドル部材
４５：容器４０の首部
４６：ワイパー部材
４７：撓み舌状体
５０：コアー
５５：ノッチ
５７：切れ込み
６１：端ボール
６３：充填材の粒子
１００：ノッチ
１０１：直径の小さな断面
１０２：直径の大きな断面
１０３：充填材の粒子
１１０：波形歯
１１１：支持体
【図１】
2004298633.tif 000003
【図２】
2004298633.tif 000004
【図３】
2004298633.tif 000005
【図４】
2004298633.tif 000006
【図５】
2004298633.tif 000007
【図６】
2004298633.tif 000008
【図７】
2004298633.tif 000009
【図８】
2004298633.tif 000010
【図９】
2004298633.tif 000011
【図１０】
2004298633.tif 000012
【図１１】
2004298633.tif 000013
【図１２】
2004298633.tif 000014
【図１３】
2004298633.tif 000015
【図１４】
2004298633.tif 000016
【図１５】
2004298633.tif 000017
【図１６】
2004298633.tif 000018
【図１７】
2004298633.tif 000019
【図１８】
2004298633.tif 000020
【図１９】
2004298633.tif 000021
【図２０】
2004298633.tif 000022
【図２１】
2004298633.tif 000023
【図２２】
2004298633.tif 000024
【図２３】
2004298633.tif 000025
【図２４】
2004298633.tif 000026
【図２５】
2004298633.tif 000027
【図２６】
2004298633.tif 000028
【図２７】
2004298633.tif 000029
【図２８】
2004298633.tif 000030
【図２９】
2004298633.tif 000031
【図３０】
2004298633.tif 000032
【図３１】
2004298633.tif 000033
【図３２】
2004298633.tif 000034
【図３３】
2004298633.tif 000035
【図３４】
2004298633.tif 000036
【図３５】
2004298633.tif 000037
【図３６】
2004298633.tif 000038
【図３７】
2004298633.tif 000039
【図３８】
2004298633.tif 000040
【図３９】
2004298633.tif 000041
【図４０】
2004298633.tif 000042
【図４１】
2004298633.tif 000043
【図４２】
2004298633.tif 000044
【図４３】
2004298633.tif 000045
【図４４】
2004298633.tif 000046
【図４５】
2004298633.tif 000047
【図４６】
2004298633.tif 000048
【図４７】
2004298633.tif 000049
【図４８】
2004298633.tif 000050
【図４９】
2004298633.tif 000051
【図５０】
2004298633.tif 000052
【図５１】
2004298633.tif 000053
【図５２】
2004298633.tif 000054
【図５３】
2004298633.tif 000055
【図５４】
2004298633.tif 000056
【図５５】
2004298633.tif 000057
【図５６】
2004298633.tif 000058
【図５７】
2004298633.tif 000059
【図５８】
2004298633.tif 000060
【図５９】
2004298633.tif 000061
【図６０】
2004298633.tif 000062
【図６１】
2004298633.tif 000063
【図６２】
2004298633.tif 000064
【図６３】
2004298633.tif 000065
【図６４】
2004298633.tif 000066
【図６５】
2004298633.tif 000067
【図６６】
2004298633.tif 000068
【図６７】
2004298633.tif 000069
【図６８】
2004298633.tif 000070
【図６９】
2004298633.tif 000071
【図７０】
2004298633.tif 000072
【図７１】
2004298633.tif 000073
【図７２】
2004298633.tif 000074
【手続補正書】
【提出日】平成16年6月2日(2004.6.2)
【手続補正１】
【補正対象書類名】明細書
【補正対象項目名】０００６
【補正方法】変更
【補正の内容】
【０００６】
さらに、特許文献４には、剛毛の全長にわたって横断面の直径が大きなもの小さなものとを交互に配列した剛毛から成るマスカラブラシが記載されている。
【特許文献１】欧州特許出願ＥＰ  ０  ５５６  ０８１
【特許文献２】欧州特許    ＥＰ  ０  ２３９  ２７０
【特許文献３】欧州特許出願ＥＰ  Ａ  ０  ６５１  ９５５
【特許文献４】米国特許第５，１６１，５５４
【外国語明細書】
2004298633.tif 000075
2004298633.tif 000076
2004298633.tif 000077
2004298633.tif 000078
2004298633.tif 000079
2004298633.tif 000080
2004298633.tif 000081
2004298633.tif 000082
2004298633.tif 000083
2004298633.tif 000084
2004298633.tif 000085
2004298633.tif 000086
2004298633.tif 000087
2004298633.tif 000088
2004298633.tif 000089
2004298633.tif 000090
2004298633.tif 000091
2004298633.tif 000092
2004298633.tif 000093
2004298633.tif 000094
2004298633.tif 000095
2004298633.tif 000096
2004298633.tif 000097
2004298633.tif 000098
2004298633.tif 000099
2004298633.tif 000100
2004298633.tif 000101
2004298633.tif 000102
2004298633.tif 000103
2004298633.tif 000104
2004298633.tif 000105
2004298633.tif 000106